(57)【特許請求の範囲】
【請求項１】
天板の後部の上面に凹溝からなる配線ダクトを設け、さらに、前記配線ダクトの底面に取付凹部を設け、該取付凹部に、ほぼ水平の取付板部より起立する支持板部により机上設置物を支持するようにした取付金具における前記取付板部を嵌合して固定したことを特徴とする天板における取付金具の取付構造。
【請求項２】
取付金具の取付板部の上面が配線ダクトの底面と同一面となるか又は低くなるように取付凹部の深さを設定した請求項１記載の天板における取付金具の取付構造。
【請求項３】
取付金具の取付板部をねじによって取付凹部に固定すると共に、このねじが配線ダクトの底面と同一面となるか又は低くなるように取付凹部の深さを設定した請求項１又は２記載の天板における取付金具の取付構造。
【請求項４】
取付凹部の幅を、取付金具の取付板部の幅とほぼ同一か又は若干大とした請求項１〜３のいずれかに記載の天板における取付金具の取付構造。
【請求項５】
上面が配線ダクトの底面と同一面となるか又は低くなる当接片を取付金具の取付板部の側端に形成し、この当接片を取付凹部の内壁に当接させた請求項１〜４のいずれかに記載の天板における取付金具の取付構造。
【発明の詳細な説明】
【０００１】
【発明の属する技術分野】
本発明は、ピンナップボードなどの机上設置物を支持するための取付金具を、事務机等の天板に取り付ける構造に関する。
【０００２】
【従来の技術】
事務机には、その天板上に載置するコンピュータ、電話機、照明器具等の電気機器と電源コンセントとを接続して、電気機器に電力を供給するため、配線ダクトを設けたものがある。
【０００３】
この配線ダクトは凹溝状となっており、机上での作業の邪魔とならないように天板上面の後部に、天板を横切るように設けられる。
【０００４】
一方、メモ、書類等をピンによって係止するピンナップボードなどの机上設置物を机に取り付けることがあり、その場合には、この机上設置物を、取付金具を介して天板の後部に起立するようにして取り付けることが多い。
【０００５】
この取付金具は、ほぼ水平の取付板部と、取付板部から起立して机上設置物を支持する支持板部とからなる。
【０００６】
このように、取付金具は、机上設置物を起立するように支持するところから、強度及び安定性が要求され、このため天板に固定される取付板部は天板の前後方向に長く延びる形状に成形され、この状態でねじによって天板の後部に固定される。
【０００７】
【発明が解決しようとする課題】
しかし、この従来の構造では、次のような問題点がある。
【０００８】
（ａ）取付金具の取付板部が天板の後部に、しかも天板の前後方向を向くように固定されるため、取付板部又はその固定のためのねじが、天板後部を横切る配線ダクトを遮り、このことによって配線ダクト内のコードの邪魔になり、コードを充分に配線できない。
【０００９】
（ｂ）取付金具を天板に固定するための位置決めがしにくく、天板への取付作業が面倒である。
【００１０】
本発明は、従来の技術が有する上記のような問題点に鑑み、配線ダクトを遮ることがなく、しかも天板への位置決めを容易に行うことができるようにした天板における取付金具の取付構造を提供することを目的としている。
【００１１】
【課題を解決するための手段】
本発明によると、上記課題は次のようにして解決される。
【００１２】
（１）天板の後部の上面に凹溝からなる配線ダクトを設け、さらに、前記配線ダクトの底面に取付凹部を設け、該取付凹部に、ほぼ水平の取付板部より起立する支持板部により机上設置物を支持するようにした取付金具における前記取付板部を嵌合して固定する。
【００１３】
（２）上記（１）項において、取付金具の取付板部の上面が配線ダクトの底面と同一面となるか又は低くなるように取付凹部の深さを設定する。
【００１４】
(３)上記(１)又は(２)項において、取付金具の取付板部をねじによって取付凹部に固定すると共に、このねじが配線ダクトの底面と同一面となるか又は低くなるように取付凹部の深さを設定する。
【００１５】
（４）上記（１）〜（３）項のいずれかにおいて、取付凹部の幅を、取付金具の取付板部の幅とほぼ同一か又は若干大とする。
【００１６】
（５）上記（１）〜（４）項のいずれかにおいて、上面が配線ダクトの底面と同一面となるか又は低くなる当接片を取付金具の取付板部の側端に形成し、この当接片を取付凹部の内壁に当接する。
【００１７】
【発明の実施の形態】
図１〜図３は本発明の実施の一形態を示すもので、図１及び図２に示すように、机本体（１）の上部に天板（２）が取り付けられ、この天板（２）の上面に配線ダクト（３）及び取付凹部（４）が配置されている。
【００１８】
配線ダクト（３）はコード（図示省略）を配線するものであり、机上での作業の邪魔とならないように、天板（２）の後部に設けられていると共に、その底面（５）が天板（２）の上面よりも低くなった上面開放の凹溝形状に成形され、内部にコードを収容するようになっている。
【００１９】
この配線ダクト（３）は２点鎖線の矢印で示すように、天板（２）の後部を左右に横切る方向の横送りダクト部（６）と、横送りダクト部（６）の端部と交差した状態で天板（２）の後端に向かって形成された後送りダクト部（７）とからなっており、このように配線ダクト（３）を交差状に形成することによって、コードを天板（２）の左右から引き出すことができると共に、天板（３）の後端からも引き出すことができ、配線の自由度が増大して、使用上便利となる。
【００２０】
取付凹部（４）は天板（２）後部の隅部に位置するように、配線ダクト（３）の形成部位に設けられると共に、同ダクト（３）の底面（５）よりもさらに低くなった窪み状に形成されている。
【００２１】
この取付凹部（４）は上面が開放する矩形状となっており、ピンナップボード等の机上設置物（９）を天板（２）に取り付けるための取付金具（８）が開放状態の上面から挿入される。
【００２２】
取付金具（８）は、ほぼ水平の取付板部（１０）と、取付板部（１０）の後端部から起立する支持板部（１１）とからなっている。
【００２３】
取付金具（８）の取付板部（１０）は、天板（２）の前後方向に延びており、この取付板部（１０）を取付凹部（４）内に嵌合し、ねじ（１２）を締め付けて固定することにより、取付金具（８）が天板（２）の後部に取り付けられる。
【００２４】
このように取付板部（１０）が天板（２）の前後方向に延びることにより、取付金具（８）に強度が付与されると共に、取付金具（８）を安定して固定することができる。
【００２５】
この場合、取付板部（１０）はその厚さが取付凹部（４）の深さＢよりも小さく、このため配線ダクト（３）の底面（５）上方に突出することがなく、配線ダクト（３）内のコード配線の邪魔となることがない。
【００２６】
取付板部（１０）の長手方向の一端部には、起立片（１３）が直立状に連設されており、支持板部（１１）はこの起立片（１３）の後端から一体的に起立している。
【００２７】
起立片（１３）は取付板部（１０）と共に取付凹部（４）内に挿入されるが、その挿入に際して、取付凹部（４）の上面から上方に突出することがない。
【００２８】
これは、起立片（１３）の高さＣに対し、取付凹部（４）の深さＢを同等か、それ以上となるように設定することにより可能であり、これにより起立片（１３）は配線ダクト（３）の底面（５）と同一面か、或いはそれよりも低くなっており、配線ダクト（３）内に配線するコードの邪魔となることがない。
【００２９】
支持板部（１１）は机上設置物（９）の両端に形成されたスリット（１４）に挿入されることにより、机上設置物（９）と一体化し、取付板部（１０）の取付凹部（４）への固定によって、机上設置物（９）を起立状に支持する。
【００３０】
この支持板部（１１）は起立片（１３）の後端に連設されることにより、机上設置物（９）が天板（２）の後部に位置するように支持し、これにより机上設置物（９）が天板（２）の前方側で起立することがなく、机上での作業の邪魔となることがなくなる。
【００３１】
以上の取付金具（８）の取付凹部（４）への固定は、座金（１８）にねじ（１２）を螺合させることによって行われ、このため天板（２）を貫通する貫通孔（１５）が取付凹部（４）の底面に形成されると共に、取付金具（８）の取付板部（１０）にはこの貫通孔（１５）と対向した取付孔（１６）が形成されている。
【００３２】
さらに、座金（１８）には、これらの貫通孔（１５）、取付孔（１６）と連通するねじ孔（１７）が形成されており、取付板部（１０）を取付凹部（４）の底面に当接させた状態で、ねじ（１２）を取付板部（１０）、天板（２）に貫通させ、座金（１８）のねじ孔（１７）に螺合させることにより取付金具（８）を天板（２）に固定することができる。
【００３３】
図２及び図３は取付金具（８）をねじ（１２）によって天板（２）に取り付けた状態を示し、ねじ（１２）全体の長さに対し、取付凹部（４）はねじ（１２）の頭部（１２ａ）が配線ダクト（３）の底面（５）と同一面となるか、或いはそれよりも低くなるように、その深さが設定され、このことによりねじ（１２）が配線ダクト（３）の底面（５）上方に突出することがなく、コードの邪魔となっていない。
【００３４】
この実施の形態では、取付凹部（４）の幅Ｈは、起立片（１３）を含めた取付板部（１０）全体が嵌め込まれる寸法に設定されており、取付板部（１０）はその長さ方向の端面が取付凹部（４）の内壁と当接して、ズレが防止され、良好な固定を行うことができる。
【００３５】
以上の実施の形態では、取付凹部（４）内に取付金具（８）の取付板部（１０）を挿入し、ねじ（１２）を締め付けることにより、取付金具（８）が固定されるため、取付金具（８）を定位置に位置決めすることが容易で、その取り付け作業が簡単となる。
【００３６】
又、取付金具（８）の取付板部（１０）、起立片（１３）及びねじ（１２）の全ての部材が配線ダクト（３）の底面（５）よりも上方に突出することがなく、配線ダクト（３）内のコードの邪魔とならず、コードの配線を良好に行うことができる。
【００３７】
図４は本発明の実施の別形態を示し、上述した実施の形態と同一の要素は同一の符号を付して対応させてある。
【００３８】
この実施の形態では、取付金具（８）に当接片（１９）が形成されている。
【００３９】
当接片（１９）は、取付金具（８）における支持板部（１１）と反対側の取付板部（１０）の端部を上方に屈曲させることにより、取付板部（１０）の長さ方向に沿って形成されており、その外側の端面を取付凹部（４）の内壁に当接させている。
【００４０】
このように当接片（１９）を取付凹部（４）の内壁に当接させることにより、取付凹部（４）との接触面積が大きくなり、その分、取付金具（８）を安定して固定することができる。
【００４１】
なお、この実施の形態においても、当接片（１９）はその上面が配線ダクト（３）の底面（５）と同一面か、或いはそれよりも低くなっており、これにより配線ダクト（３）の底面（５）の上方に突出することがなく、配線ダクト（３）へのコードの配線の支障となることがない。
【００４２】
本発明は以上の実施の形態に限定されることなく、種々変形が可能であり、例えば、取付凹部（４）への取付板部（１０）の固定に際してスポット溶接等の他の手段を併用しても良い。
【００４３】
また、図５に示すように、取付凹部（４’）を、横送りダクト（６）の端部の底面（５）に設け、この凹部（４’）に、起立片（１３’）の後部を取付凹部（４’）の直後の天板の上面に乗るような逆Ｌ字形とした取付金具（８’）の取付板部（１０）を嵌合し、ねじ（１２）と座金（１８）とにより、取付板部（１０）と天板（２）と机本体（１）の上面部とを共締めするようにしてもよい。
なお、図５において、図１に示したものと同一の構成部材には同一の符号を付して図示し、それらについての詳細な説明は省略する。
【００４４】
【発明の効果】
本発明によると、次のような効果を奏することができる。
（ａ）請求項１の発明によると、配線ダクトの底面に取付凹部を設け、この取付凹部内に水平状の取付板部を収納して固定するため、取付板部が配線ダクトの底面から突出することがなく、コード配線の邪魔とならないばかりか、取付金具を良好に位置決めできる。
【００４５】
（ｂ）請求項２の発明によると、取付板部の上面が配線ダクトの底面から突出することを確実に防止できる。
【００４６】
（ｃ）請求項３の発明によると、取付金具を固定するねじが配線ダクトの底面から突出することがなく、コード配線の邪魔とならない。
【００４７】
（ｄ）請求項４の発明によると、取付金具が取付凹部の嵌め込まれるため、その固定を確実に行うことができる。
【００４８】
（ｅ）請求項５の発明によると、当接片によって取付凹部との接触面積が増大するため、取付金具を安定して固定することができる。
【図面の簡単な説明】
【図１】本発明の実施の一形態の組み立て前の斜視図である。
【図２】同じく、組立後の状態の斜視図である。
【図３】同じく、取付金具を取り付けた要部の拡大縦断正面図である。
【図４】本発明の実施の別の形態の図３と同様の部分の縦断正面図である。
【図５】本発明のさらに別の実施形態を示す、図１と同様の斜視図である。
【符号の説明】
（１）机本体
（２）天板
（３）配線ダクト
（４）（４’）取付凹部
（５）配線ダクトの底面
（６）横送りダクト部
（７）後送りダクト部
（８）（８’）取付金具
（９）机上設置物
（１０）取付板部
（１１）支持板部
（１２）ねじ
（１２ａ）ねじの頭部
（１３）（１３’）起立片
（１４）スリット
（１５）貫通孔
（１６）取付孔
（１７）ねじ孔
（１８）座金
（１９）当接片
【図１】
0003584418.tif 000002
【図２】
0003584418.tif 000003
【図３】
0003584418.tif 000004
【図４】
0003584418.tif 000005
【図５】
0003584418.tif 000006